【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
移動可能な複数のコンテンツを認識する認識手段と、
前記認識された複数のコンテンツの位置の移動履歴情報を取得する取得手段と、
前記位置の移動履歴情報に基づいて前記複数のコンテンツ間の関係を判断する判断手段と、
を備えることを特徴とする情報処理装置。
【請求項２】
前記複数のコンテンツは、ユーザの操作により移動することを特徴とする請求項１に記載の情報処理装置。
【請求項３】
前記認識手段は、さらに、前記複数のコンテンツデータを使用するユーザの該コンテンツデータに対する操作を認識し、
前記判断手段は、前記位置の移動履歴情報と前記操作とに基づいてコンテンツ間の関係を判断することを特徴とする請求項１または２何れかに記載の情報処理装置。
【請求項４】
前記取得手段は、前記複数のコンテンツの位置を一定の時間ごとに取得することを特徴とする請求項１乃至３何れかに記載の情報処理装置。
【請求項５】
前記取得手段は、前記複数のコンテンツの表示サイズを更に取得し、
前記判断手段は、前記取得された表示サイズが大きい場合、コンテンツ間の関係を重要であると判断する特徴とする請求項１乃至４何れかに記載の情報処理装置。
【請求項６】
前記取得手段により前記コンテンツの位置を取得した時刻と該位置とを対応付けて保持する保持手段を更に備えることを特徴とする請求項１乃至５何れかに記載の情報処理装置。
【請求項７】
前記判断手段は、前記保持手段を参照して、２つのコンテンツが所定の位置範囲に並べられていたかに基づいてコンテンツ間の関係を判断することを特徴とする請求項６記載の情報処理装置。
【請求項８】
前記判断手段は、前記保持手段を参照して、２つのコンテンツの位置を所定回数以上入れ替えたかに基づいてコンテンツ間の関係を判断することを特徴とする請求項６記載の情報処理装置。
【請求項９】
前記判断手段は、前記保持手段を参照して、２つのコンテンツが所定の位置範囲に並べられている時間が一定時間を超えるかに基づいてコンテンツ間の関係を判断することを特徴とする請求項６記載の情報処理装置。
【請求項１０】
前記複数のコンテンツは、画像の領域を切り出して生成されており、
前記判断手段は、前記複数のコンテンツの生成元の画像に基づいてコンテンツ間の関係を判断することを特徴とする請求項７乃至９何れかに記載の情報処理装置。
【請求項１１】
移動可能な複数のコンテンツを認識する認識工程と、
前記複数のコンテンツの位置の移動履歴情報を取得する取得工程と、
前記位置の移動履歴情報から前記複数のコンテンツ間の関係を判断する判断工程と、
を備えることを特徴とする情報処理方法。
【請求項１２】
コンピュータを、
移動可能な複数のコンテンツを認識する認識手段と、
前記複数のコンテンツの位置の移動履歴情報を取得する取得手段と、
前記位置の移動履歴情報から前記複数のコンテンツ間の関係を判断する判断手段と、
として機能させるためのプログラム。
【請求項１３】
順序情報を持つ複数のコンテンツの画像を、前記順序情報に基づいて投影する投影手段と、
前記投影された画像の選択を検出する検出手段と、
前記検出された画像のソースコンテンツとその関係コンテンツとの関係に基づいた表示形態により、前記関係コンテンツの画像を前記投影手段に投影させる制御手段と、
を備えることを特徴とする情報処理装置。
【請求項１４】
前記投影手段は、前記コンテンツの重要度に基づいて画像の表示形態を変えて表示することを特徴とする請求項１３記載の情報処理装置。
【請求項１５】
前記投影手段は、前記検出された画像を複数の画像の表示範囲の中央付近に表示することを特徴とする請求項１３記載の情報処理装置。
【請求項１６】
前記投影手段は、作業台を挟んで対面しているユーザから見てそれぞれ正方向に、作業台面に画像を投影することを特徴とする請求項１３記載の情報処理装置。
【請求項１７】
順序情報を持つ複数のコンテンツの画像を、前記順序情報に基づいて投影手段に投影する工程と、
前記投影された画像の選択を検出する検出工程と、
前記検出された画像のソースコンテンツとその関係コンテンツとの関係に基づいた表示形態により、前記関係コンテンツの画像を前記投影手段に投影させる制御工程と、
を備えることを特徴とする情報処理方法。
【請求項１８】
コンピュータを、
順序情報を持つ複数のコンテンツの画像を、前記順序情報に基づいて投影する投影手段と、
前記投影された画像の選択を検出する検出手段と、
前記検出された画像のソースコンテンツとその関係コンテンツとの関係に基づいた表示形態により、前記関係コンテンツの画像を前記投影手段に投影させる制御手段と、
として機能させるためのプログラム。
【手続補正２】
【補正対象書類名】明細書
【補正対象項目名】０００７
【補正方法】変更
【補正の内容】
【０００７】
本発明に係る情報処理装置は以下の構成を備える。即ち、移動可能な複数のコンテンツを認識する認識手段と、前記認識された複数のコンテンツの位置の移動履歴情報を取得する取得手段と、前記位置の移動履歴情報に基づいて前記複数のコンテンツ間の関係を判断する判断手段。
【手続補正３】
【補正対象書類名】明細書
【補正対象項目名】００１７
【補正方法】変更
【補正の内容】
【００１７】
保持部１１４は、ＲＡＭ１０３に相当する。情報処理装置１００が対象物を読み取った情報や、ユーザの作業台における操作履歴情報、後述する生成部１１６により生成された電子コンテンツデータやその表示履歴情報、後述する解析部１１８により得られたコンテンツ間の関係などのデータを保持する。なお、コンテンツとは、文書などを構成する段落や図や予め指定した領域などの一要素を表すこととする。
【手続補正４】
【補正対象書類名】明細書
【補正対象項目名】００１８
【補正方法】変更
【補正の内容】
【００１８】
制御部１１５は、ＣＰＵ等から構成され、検出部１１２により検出されたユーザの手や指先の動きに応じて、後述する投影部１１７を通じてユーザに表示する内容を制御する。
【手続補正５】
【補正対象書類名】明細書
【補正対象項目名】００１９
【補正方法】変更
【補正の内容】
【００１９】
生成部１１６は、ＣＰＵ等から構成され、保持部１１４に保持されている蓄積データと、制御部による指令に基づいて、トリミングなどをして新たな電子コンテンツデータを生成して保持部１１４に保持する。また、生成された電子コンテンツデータは、投影部１１７によって読み取り台上に投影することができる。
【手続補正６】
【補正対象書類名】明細書
【補正対象項目名】００２０
【補正方法】変更
【補正の内容】
【００２０】
投影部１１７は、投影装置１０６に相当し、制御部１１５によって作成された投影画像を、作業台上面、及び作業台上に置かれた対象物上に投影する。
【手続補正７】
【補正対象書類名】明細書
【補正対象項目名】００２１
【補正方法】変更
【補正の内容】
【００２１】
解析部１１８は、ＣＰＵ等から構成される。保持部１１４に記憶された情報処理装置１００が対象物を読み取った情報や、ユーザの作業台における操作履歴情報、生成部１１６により生成された電子コンテンツデータやその表示履歴情報を用いて、電子コンテンツデータ間の関係を抽出する。電子コンテンツデータ間の関係とは、例えば順序関係や、比較関係、補足関係などである。詳しくは後述する。また、抽出した電子コンテンツデータ間の関係は保持部１１４に記憶しておく。
【手続補正８】
【補正対象書類名】明細書
【補正対象項目名】００５０
【補正方法】変更
【補正の内容】
【００５０】
図９（ｂ）は、従来技術により電子コンテンツデータ間の順序関係だけを抽出して可視化した一例である。それぞれの電子コンテンツデータを表示する順番を理解することは出来るが、どういう意図で表示しているかは理解できない。例えば、この可視化された説明フローを見て販売員が説明を行う際には、次のような問題がある。Ｃｏｎｔｅｎｔｓ  ｂの説明を終えた後に、Ｃｏｎｔｅｎｔｓ  ｅを表示したが、すでにＣｏｎｔｅｎｔｓ  ｂについては顧客が十分に理解できていれば、補足関係にあったＣｏｎｔｅｎｔｓ  ｅは表示する必要がない。しかし、Ｃｏｎｔｅｎｔｓ  ｂの次にＣｏｎｔｅｎｔｓ  ｅを表示するフローになっているので、Ｃｏｎｔｅｎｔｓ  ｅの表示が必要だと認識する恐れがある。また、他社の保険商品に興味がない顧客であれば、他社の比較情報を出す必要がなかったが、Ｃｏｎｔｅｎｔｓ  ｄの説明の次にＣｏｎｔｅｎｔｓ  ｇを説明するフローになっているので、Ｃｏｎｔｅｎｔｓ  ｇの表示が必要だと認識する恐れがある。どういう意図でその電子コンテンツデータを表示するのかが示されていれば、販売員の判断で不必要なＣｏｎｔｅｎｔｓの表示と説明をスキップすることが可能である。
【手続補正９】
【補正対象書類名】図面
【補正対象項目名】図１
【補正方法】変更
【補正の内容】
【図１】
2015011508.tif 000001